(57)【要約】  一般に細長いシャンク及びその予め決められた部分で形成された把持可能な領域を有する歯科用インプラントとともに使用するための多皮質インプラントアンカー。インプラントアンカーは縦軸を有する部材を一般に形成するために第一の細長い部材と第二の細長い部材とそれらの間に接続されたブリッジ部材を含み、第一の細長い部材及び第二の細長い部材は縦軸に対して横切る方向の旋回に対して歯科用インプラントの把持可能な領域をロック可能に係合するように適応されている。【選択図】  なし【特許請求の範囲】
【請求項１】
一般に細長いシャンク及びその予め決められた部分で形成された把持可能な領域を有する歯科用インプラントとともに使用するための多皮質インプラントアンカーであって、前記インプラントアンカーが縦軸を有する部材を一般に形成するために第一の細長い部材と第二の細長い部材とそれらの間に接続されたブリッジ部材を含み、前記第一の細長い部材及び前記第二の細長い部材が前記縦軸に対して横切る方向の旋回に対して前記歯科用インプラントの前記把持可能な領域をロック可能に係合するように適応されている多皮質インプラントアンカー。
【請求項２】
前記縦軸を有する前記部材が一般にＵ形状の部材である請求項１に記載の多皮質インプラントアンカー。
【請求項３】
前記第一の細長い部材及び前記第二の細長い部材が各々、第一及び第二端を有し、かつ前記縦軸に対して横切る方向の旋回に対して前記歯科用インプラントの前記把持可能な領域をロック可能に係合しながら、顎骨の第一皮質板の組織及び所望により顎骨の第二皮質板の組織を同時に係合するように適応されている請求項１に記載の多皮質インプラントアンカー。
【請求項４】
前記第一及び第二の細長い部材が単一のアンカー部材の尖った先として形成され、前記尖った先の端が皮質組織に形成された内腔に容易に入るようにわずかに細められた構成を有する自由端である請求項１に記載の多皮質インプラントアンカー。
【請求項５】
前記インプラントアンカーが弾性圧縮部材として形成され、前記尖った先の間の距離が歯科用インプラントの予め決められた外部分の厚さよりそれらの間の係合前では小さく、前記尖った先が、互いに分離され、それによって前記インプラントのまわりのその挿入を容易にするようにそれを横切って適用された弾性力に応答し、弾性力が続いて前記インプラントアンカーを歯科用インプラントとロック可能に係合するように作用する請求項４に記載の多皮質インプラントアンカー。
【請求項６】
前記尖った先が前記インプラントの前記予め決められた外部分との把持係合のために適応された内側に面する部分を有する請求項４に記載の多皮質インプラントアンカー。
【請求項７】
前記インプラントの前記外部分が細められたウエスト部分として形成される請求項６に記載の多皮質インプラントアンカー。
【請求項８】
前記尖った先の前記内側に面する部分が湾曲され、前記ウエスト部分が前記尖った先の前記湾曲された内側に面する部分に着座するように構成される請求項７に記載の多皮質インプラントアンカー。
【請求項９】
前記尖った先の前記内側に面する部分が直線形態を有し、前記ウエスト部分が前記尖った先の前記直線の内側に面する部分に着座するように構成される請求項７に記載の多皮質インプラントアンカー。
【請求項１０】
前記インプラントの前記外部分がその上にねじ山を形成されている請求項６に記載の多皮質インプラントアンカー。
【請求項１１】
前記尖った先の前記内側に面する部分の各々が、その上部に、前記インプラントの前記外部分上に形成した前記ねじ山をねじりながら係合するように適応された少なくとも一つのねじ山を上部に形成したくぼんだ凹所を形成している請求項１０に記載の多皮質インプラントアンカー。
【請求項１２】
前記尖った先の前記内側に面する部分の各々が、前記インプラントの前記外部分上に形成された前記ねじ山をロック可能に係合するように適応されたブレード縁で終わる請求項１０に記載の多皮質インプラントアンカー。
【請求項１３】
前記ブリッジ部材上に形成された一般に外側に面する指標部材をさらに含み、それが前記指標部材との係合を示すように構成された凹所を有するインプラント位置決めテンプレートの位置を決定するように適応されている請求項１に記載の多皮質インプラントアンカー。
【請求項１４】
多皮質自動ロック式歯科用インプラントキットであって、
Ａ．一般に細長いシャンク；及び前記細長いシャンクの予め決められた部分で形成された把持可能な領域を含む、対象の顎骨に設置するための歯科用インプラント、及び
Ｂ．対象の顎骨に対して予め選択された位置で前記歯科用インプラントとのかみ合い係合をインターロックするための多皮質インプラントアンカーであって、前記インプラントアンカーが縦軸を有する部材を一般に形成するために第一の細長い部材と第二の細長い部材とそれらの間に接続されたブリッジ部材を含み、前記第一の細長い部材及び前記第二の細長い部材が前記縦軸に対して横切る方向の旋回に対して前記歯科用インプラントの前記把持可能な領域をロック可能に係合するように適応されているもの、
を含む多皮質自動ロック式の歯科用インプラントキット。
【請求項１５】
前記縦軸を有する前記部材が一般にＵ形状の部材である請求項１４に記載の多皮質自動ロック式の歯科用インプラントキット。
【請求項１６】
前記第一の細長い部材及び前記第二の細長い部材が各々、第一及び第二端を有し、かつ前記縦軸に対して横切る方向の旋回に対して前記歯科用インプラントの前記把持可能な領域をロック可能に係合しながら、顎骨の第一皮質板の組織及び所望により顎骨の第二皮質板の組織を同時に係合するように適応されている請求項１４に記載の多皮質自動ロック式の歯科用インプラントキット。
【請求項１７】
前記第一及び第二の細長い部材が単一のアンカー部材の尖った先として形成され、前記尖った先の前記第二端が皮質組織に形成された内腔に容易に入るようにわずかに細められた構成を有する自由端である請求項１４に記載の多皮質自動ロック式の歯科用インプラントキット。
【請求項１８】
前記インプラントアンカーが弾性圧縮部材として形成され、前記尖った先の間の距離が歯科用インプラントの予め決められた外部分の厚さよりそれらの間の係合前では小さく、前記尖った先が、互いに分離され、それによって前記インプラントのまわりのその挿入を容易にするようにそれを横切って適用された弾性力に応答し、弾性力が続いて前記インプラントアンカーを歯科用インプラントとロック可能に係合するように作用する請求項１７に記載の多皮質自動ロック式の歯科用インプラントキット。
【請求項１９】
前記尖った先が前記インプラントの前記予め決められた外部分との把持係合のために適応された内側に面する部分を有する請求項１７に記載の多皮質自動ロック式の歯科用インプラントキット。
【請求項２０】
前記インプラントの前記外部分が細められたウエスト部分として形成される請求項１９に記載の多皮質自動ロック式の歯科用インプラントキット。
【請求項２１】
前記尖った先の前記内側に面する部分が湾曲され、前記ウエスト部分が前記尖った先の前記湾曲された内側に面する部分に着座するように構成される請求項２０に記載の多皮質自動ロック式の歯科用インプラントキット。
【請求項２２】
前記尖った先の前記内側に面する部分が直線形態を有し、前記ウエスト部分が前記尖った先の前記直線の内側に面する部分に着座するように構成される請求項２０に記載の多皮質自動ロック式の歯科用インプラントキット。
【請求項２３】
前記インプラントの前記外部分がその上にねじ山を形成されている請求項１９に記載の多皮質自動ロック式の歯科用インプラントキット。
【請求項２４】
前記尖った先の前記内側に面する部分の各々が、その上部に、前記インプラントの前記外部分上に形成した前記ねじ山をねじりながら係合するように適応された少なくとも一つのねじ山を上部に形成したくぼんだ凹所を形成している請求項２３に記載の多皮質自動ロック式の歯科用インプラントキット。
【請求項２５】
前記尖った先の前記内側に面する部分の各々が、前記インプラントの前記外部分上に形成された前記ねじ山をロック可能に係合するように適応されたブレード縁で終わる請求項２３に記載の多皮質自動ロック式の歯科用インプラントキット。
【請求項２６】
歯科用インプラントの部位上に設置するために適応された第一及び第二の相互接続された相互に直交するテンプレート部分を有するインプラント位置決めテンプレートをさらに含む請求項１４に記載の多皮質自動ロック式の歯科用インプラントキットであって、
前記第一テンプレート部分が、インプラントガイドであり、かつ前記歯科用インプラントが設置される内腔を形成するために使用されるツールの対象の顎骨中への進入の角度を案内するための少なくとも一つの内腔を内部に形成し、
さらに、前記第二テンプレート部分が、インプラントアンカーガイドであり、かつ横方向の内腔を形成するために使用されるツールの対象の顎骨の第一皮質板中への進入の角度を案内するための少なくとも二つの内腔を内部に形成し、その横方向の内腔を通して前記インプラントアンカーが顎骨の第一及び第二皮質板の組織を同時係合しながら前記歯科用インプラントとインターロックするように設置される多皮質自動ロック式の歯科用インプラントキット。
【請求項２７】
前記ブリッジ部材がその上に外側に面する指標部材を形成し、前記第二テンプレート部分がその内部に指標凹所を形成し、前記指標部材及び前記指標凹所が、前記インプラントアンカーが前記歯科用インプラントをその中で受けるように位置されるように前記インプラントアンカーに対して予め決められた位置で前記インプラントガイド内に形成された前記少なくとも一つの内腔を位置するようにかみ合い係合を行なうように作用する請求項２６に記載の多皮質自動ロック式の歯科用インプラントキット。
【請求項２８】
前記インプラント位置決めテンプレートが互いに対して前記第一及び第二ガイド部分の位置を選択的に調整するための装置を含む請求項２６に記載の多皮質自動ロック式の歯科用インプラントキット。
【請求項２９】
前記歯科用インプラントの設置のための部位に、対象の顎骨に対する前記インプラント位置決めテンプレートの高さを調整するための装置をさらに含む請求項２６に記載の多皮質自動ロック式の歯科用インプラントキット。
【請求項３０】
前記インプラント位置決めテンプレートの高さを調整するための前記装置が前記第一ガイド部分と顎骨の間に配置されるように適応されたスペーサ装置を含む請求項２９に記載の多皮質自動ロック式の歯科用インプラントキット。
【請求項３１】
前記第一ガイド部分に接続されかつ前記第二ガイド部分に一般に平行である第三ガイド部分をさらに含み、前記第二及び第三ガイド部分が、前記第一ガイド部分の前記少なくとも一つの内腔のその上で心合わせを助けるように歯科用インプラントの部位で顎骨のまわりに着座するように適応されている請求項３０に記載の多皮質自動ロック式の歯科用インプラントキット。
【請求項３２】
歯科用インプラントの設置のための部位の調製を助けるためのインプラント位置決めテンプレートであって、
前記テンプレートが歯科用インプラントの部位の上に設置するために適応された第一及び第二の相互接続された相互に直交するガイド部分を含み、
前記第一ガイド部分が、インプラントガイドであり、かつ前記歯科用インプラントが設置される内腔を形成するために使用されるツールの対象の顎骨中への進入の角度を案内するための少なくとも一つの内腔を内部に形成し、
さらに、前記第二ガイド部分が、インプラントアンカーガイドであり、かつ顎骨の第一及び第二皮質板に横方向の内腔を形成するために使用されるツールの対象の顎骨の第一皮質板中への進入の角度を案内するための少なくとも二つの内腔を内部に形成し、その横方向の内腔を通して前記インプラントアンカーが顎骨の第一及び第二皮質板の組織を同時係合しながら前記歯科用インプラントとインターロックするように設置されるインプラント位置決めテンプレート。
【請求項３３】
前記ブリッジ部材がその上に外側に面する指標部材を形成し、前記第二テンプレート部分がその内部に指標凹所を形成し、前記指標部材及び前記指標凹所が、前記インプラントアンカーが前記歯科用インプラントをその中で受けるように位置されるように前記インプラントアンカーに対して予め決められた位置で前記インプラントガイド内に形成された前記少なくとも一つの内腔を位置するようにかみ合い係合を行なうように作用する請求項３２に記載のインプラント位置決めテンプレート。
【請求項３４】
前記インプラント位置決めテンプレートが互いに対して前記第一及び第二ガイド部分の位置を調整するための装置をさらに含む請求項３２に記載インプラント位置決めテンプレート。
【請求項３５】
前記歯科用インプラントの設置のための部位に、対象の顎骨に対する前記インプラント位置決めテンプレートの高さを調整するための装置をさらに含む請求項３２に記載のインプラント位置決めテンプレート。
【請求項３６】
前記インプラント位置決めテンプレートの高さを調整するための前記装置が前記第一ガイド部分と顎骨の間に配置されるように適応されたスペーサ装置を含む請求項３５に記載のインプラント位置決めテンプレート。
【請求項３７】
インプラントアンカーが、外側に面する指標部材を上部に形成したブリッジ部分を介して接続された一対の一般に平行な尖った先を有し、前記第二テンプレート部分が、インプラントアンカーが前記歯科用インプラントをその中で受けるように位置されるようにインプラントアンカーに対して予め決められた位置で前記インプラントガイド内に形成された前記少なくとも一つの内腔を位置するように前記指標部材の上にそれとかみ合った係合で設置するために適応された指標凹所を内部に形成している請求項３２に記載のインプラント位置決めテンプレート。
【請求項３８】
前記第一ガイド部分に接続されかつ前記第二ガイド部分に一般に平行である第三ガイド部分をさらに含み、前記第二及び第三ガイド部分が、前記第一ガイド部分の前記少なくとも一つの内腔のその上で心合わせを助けるように歯科用インプラントの部位で顎骨のまわりに着座するように適応されている請求項３２に記載のインプラント位置決めテンプレート。
【請求項３９】
歯科用インプラントを対象の顎骨に、それに対して予め決められた実質的に移動できない位置に固定する方法であって、
ａ）対象の顎骨の第一及び所望により第二皮質板に、ブリッジ部材によって相互接続された第一及び第二の細長い部材を有する多皮質インプラントアンカーを固定する工程；及び
ｂ）第一及び第二の細長い部材の間に、一般に細長いシャンク及びその予め決められた部分に形成された把持可能な領域を有する一般に円柱形の歯科用インプラントを挿入し、それによってインプラントアンカーとインターロックされ、その第一及び所望により第二皮質板の各々において二つの点で顎骨に固定される工程、
を含む方法。
【請求項４０】
前記固定する工程ａ）が：
ｃ）第一皮質板においてその中の選択された位置に一対のアンカー穴を形成する工程、及び
ｄ）ブリッジ部材が顎骨の外側に面する表面に接触しかつ第一及び第二の細長い部材の自由端が第二皮質板を貫通するまで、第一皮質板を完全に貫通するように、第一及び第二の細長い部材をそれらの穴に同時に挿入し、それによって二つ以上の皮質アンカー点にアンカーを与える工程、
を含み、
一般的に円柱形のインプラントを挿入する前記工程ｂ）が：
ｅ）顎骨においてその中の選択された位置に歯科用インプラントのための開口を形成する工程、及び
ｆ）歯科用インプラントをそのための穴に挿入する工程、
を含み、ｄ）第一及び第二の細長い部材を同時に挿入し、ｅ）歯科用インプラントを挿入する前記工程が歯科用インプラントを二つ以上の皮質アンカー点で固定するように歯科用インプラントと多皮質アンカーの間のインターロッキングを起こすように組み合わされる工程、
を含む請求項３９に記載の方法。
【請求項４１】
一般に円柱形の歯科用インプラントがその外部上にねじ山を形成され、インプラントアンカーの第一及び第二の細長い部材がねじ山に係合するように適応された細められた内側に面する表面で終わり、歯科用インプラントをそのための穴に挿入する前記工程ｆ）が一般に円柱形の歯科用インプラントを予め挿入されたインプラントアンカーにねじ込む工程ｇ）を含む請求項４０に記載の方法。
【請求項４２】
一般に円柱形の歯科用インプラントがその外部上にねじ山を形成され、第一及び第二の細長い部材を同時に挿入する前記工程ｄ）に続いて、インプラントアンカーの第一及び第二の細長い部材の内側に面する部分にねじ山を形成し、ねじ山部分が、一般に円柱形の歯科用インプラントが挿入される選択された位置及び方向に対応する位置及び方向を有するように形成される追加の工程ｈ）が与えられ、
歯科用インプラントをそのための穴に挿入する前記工程ｆ）がインプラントアンカーに形成されたねじ山部分と係合するために一般に円柱形の歯科用インプラントをねじ込む工程ｉ）を含む請求項４０に記載の方法。
【請求項４３】
ｊ）一対のアンカー穴を形成する前記工程ｃ）の前に、歯科用インプラントの部位の上に、少なくとも二つのアンカー位置決め穴を内部に形成したインプラント位置決めテンプレートを位置させ、アンカー穴の位置及び方向の選択を助ける工程、及びｋ）前記アンカーを与えるために第一及び第二の細長い部材をアンカー穴に挿入できるようにインプラント位置決めテンプレートを除去する工程をさらに含み、
一対のアンカー穴を形成する前記工程ｃ）がインプラント位置決めテンプレートのアンカー位置決め穴の二つに穴形成ツールを挿入し、それによって選択された位置及び方向に穴を形成する工程
を含む請求項４０に記載の方法。
【請求項４４】
ｍ）第一及び第二の細長い部材を同時に挿入する前記工程ｄ）の後、歯科用インプラントの部位の上に、少なくとも一つのインプラント位置決め穴を内部に形成したインプラント位置決めテンプレートを位置させ、インプラント穴の位置及び方向の選択を助ける工程、及び
ｎ）歯科用インプラントのための開口を形成する前記工程ｅ）の後、歯科用インプラントの前記挿入を可能とするようにインプラント位置決めテンプレートを除去する工程
をさらに含み、
歯科用インプラントのための開口を形成する前記工程ｅ）がインプラント位置決めテンプレートの選択されたインプラント位置決め穴に穴形成ツールを挿入し、それによって選択された位置及び方向にインプラント穴を形成する工程ｏ）を含む請求項４３に記載の方法。
【請求項４５】
インプラント穴の位置及び方向の選択を助けるためにインプラント位置決めテンプレートを位置決めする前記工程ｐ）がインプラントアンカーに対してインプラント位置決めテンプレートを示し、それによって歯科用インプラントを挿入する前記工程の後の歯科用インプラントの位置及び方向をインプラントアンカーの位置及び方向と調和する工程ｑ）を含む請求項４４に記載の方法。
【請求項４６】
多皮質インプラントアンカーとともに使用するための歯科用インプラントであって、歯科用インプラントが一般に細長いシャンク及び前記シャンクの予め決められた部分に形成された把持可能な領域を含み、前記把持可能な領域が、前記多皮質インプラントアンカーによってロック可能に係合され、それによって歯科用インプラントがその縦軸まわりの回転方向以外の方向で旋回することを防止するように設計及び構成される歯科用インプラント。
【請求項４７】
前記把持可能な領域がねじ切りされている請求項４６に記載の歯科用インプラント。
【発明の詳細な説明】
【技術分野】
【０００１】
本発明は一般に歯科用補綴物、特に歯科用インプラント及び固定装置並びにそのための方法及びキットに関する。
【背景技術】
【０００２】
歯科用補綴物を必要とする場合には、歯科用インプラントは補綴物を支持するために顎骨に置かれた支持構造を与える。ほとんどの歯科用インプラントは一般に円柱形構造であり、それは顎骨にねじ込まれるか、鉛直方向の内腔中に嵌合されるか、顎骨に穴をあけて入れられることができる。補綴物が設置されることができる前に、骨は穴あけから回復されてインプラントのまわりで硬化しなければならない（オッセオインテグレーションと称される方法）。これは典型的には数ヶ月かかることが知られており、その間、インプラントの歪又は移動はオッセオインテグレーションの成功を阻止したり又は妨げたりしうる。
【０００３】
この理由のため、インプラントの確実で安定した装着を与えかつ補綴物の設置又は長い待ち期間のない装填を可能とするために追加の支持部材又はアンカーが使用されている。アンカーの別の利点は、それらがより短いインプラントの使用を可能とし、補助的な骨移植手術の必要性を除去することである。アンカーは、顎骨の比較的柔らかくかつスポンジ状の、海綿状の内部にインプラントのための広いベースを与えるだけであってもよく、又はそれらはその硬い皮質状の外部に置かれてもよい。
【０００４】
Ｌａｓｔｅｒらの米国特許番号６４５０８１２は、歯科用インプラントに関するこれらの及び他の問題の詳細な概要及び代表的従来技術の概括を与え、参考として本明細書中に組み入れられる。そこに開示された双皮質歯科用インプラント（「Ｂｉ−ｃｏｒｔｉｃａｌ  Ｄｅｎｔａｌ  Ｉｍｐｌａｎｔ」）は、アンカーに適応させるために追加の横方向の穴あけを必要とし、それはさらに、インプラント自体にあけられた穴に嵌合されなければならない。これはさらに、特別に組み立てられた又は調製されたインプラントを必要とする。これらの因子は設置工程を複雑かつ長期化し、患者にとって明らかに不利であり、さらに補綴物全体をより複雑にしかつ高価にさせる。
【発明の開示】
【０００５】
本発明は、多皮質歯科用インプラント（ｍｕｌｔｉ−ｃｏｒｔｉｃａｌ  ｄｅｎｔａｌ  ｉｍｐｌａｎｔ）アンカー及び歯科用インプラントの設置のためのキット、並びに使用が簡単なそのための方法を提供することを目的とし、本発明はいったん設置されたらインプラントのほとんど即時の安定化を提供し、従来技術の欠点を克服する。
【０００６】
従って、本発明の好ましい実施態様によれば、一般に細長いシャンク及びその予め決められた部分で形成された把持可能な領域を有する歯科用インプラントとともに使用するための多皮質インプラントアンカーであって、前記インプラントアンカーが縦軸を有する部材を一般に形成するために第一の細長い部材と第二の細長い部材とそれらの間に接続されたブリッジ部材を含み、前記第一の細長い部材及び前記第二の細長い部材が前記縦軸に対して横切る方向の旋回に対して前記歯科用インプラントの前記把持可能な領域をロック可能に係合する、好ましくは本発明のある例では、歯科用インプラントの把持可能な領域を第一及び第二の細長い部材と接触するようにもたらすように設計されたねじり／回転運動以外のいずれかの方向の５０〜１００マイクロメータより大きい震えの如きインプラントの動きを防止する、ように適応されている多皮質インプラントアンカーが提供される。
【０００７】
好ましくは、前記縦軸を有する前記部材は一般にＵ形状の部材である。
【０００８】
さらに好ましくは、前記第一の細長い部材及び前記第二の細長い部材は各々、第一及び第二端を有し、かつ前記縦軸に対して横切る方向の旋回、好ましくはいずれかの方向の旋回又は移動、に対して前記歯科用インプラントの前記把持可能な領域をロック可能に係合しながら、顎骨の第一皮質板の組織及び所望により好ましくは顎骨の第二皮質板の組織をそれぞれ同時に係合するように適応されている。
【０００９】
さらに、本発明の好ましい実施態様によれば、前記第一及び第二の細長い部材は単一のアンカー部材の尖った先として形成され、前記尖った先の第二端は皮質組織に形成された内腔に容易に入るようにわずかに細められた構成を有する自由端である。
【００１０】
さらに、本発明の好ましい実施態様によれば、前記インプラントアンカーは弾性圧縮部材として形成され、前記尖った先の間の距離は歯科用インプラントの予め決められた外部分の厚さよりそれらの間の係合前では小さく、前記尖った先は、互いに分離され、それによって前記インプラントのまわりのその挿入を容易にするようにそれを横切って適用された弾性力に応答し、弾性力が続いて前記インプラントアンカーを歯科用インプラントとロック可能に係合するように作用する。
【００１１】
さらに、本発明の好ましい実施態様によれば、前記尖った先は前記インプラントの前記予め決められた外部分との把持係合のために適応された内側に面する部分を有する。
【００１２】
さらに、本発明の好ましい実施態様によれば、前記インプラントの前記外部分は細められたウエスト部分として形成される。
【００１３】
さらに、本発明の好ましい実施態様によれば、前記尖った先の前記内側に面する部分は湾曲され、前記ウエスト部分は前記尖った先の前記湾曲された内側に面する部分に着座するように構成される。
【００１４】
さらに、本発明の好ましい実施態様によれば、前記尖った先の前記内側に面する部分は直線形態を有し、前記ウエスト部分は前記尖った先の前記直線の内側に面する部分に着座するように構成される。
【００１５】
さらに、本発明の好ましい実施態様によれば、前記インプラントの前記外部分はその上にねじ山を形成されている。
【００１６】
さらに、本発明の好ましい実施態様によれば、前記尖った先の前記内側に面する部分の各々は、その上部に、前記インプラントの前記外部分上に形成した前記ねじ山をねじりながら係合するように適応されたねじ山を上部に形成した一つ又はそれより多いくぼんだ凹所を形成している。
【００１７】
さらに、本発明の好ましい実施態様によれば、前記尖った先の前記内側に面する部分の各々は、前記インプラントの前記外部分上に形成された前記ねじ山をロック可能に係合するように適応されたブレード縁で終わる。
【００１８】
さらに、本発明の好ましい実施態様によれば、多皮質インプラントアンカーは、前記ブリッジ部材上に形成された一般に外側に面する指標部材をさらに含み、それは前記指標部材との係合を示すように構成された凹所を有するインプラント位置決めテンプレートの位置を決定するように適応されている。
【００１９】
本発明のさらなる実施態様によれば、一般に細長いシャンク、及び前記細長いシャンクの予め決められた部分で形成された把持可能な領域、及び上で実質的に記載された多皮質インプラントアンカーを有する、対象の顎骨に設置するための歯科用インプラントを含む多皮質自動ロック式歯科用インプラントキットが提供される。
【００２０】
本発明のさらなる実施態様によれば、歯科用インプラントの部位上に設置するために適応された第一及び第二の相互接続された相互に直交するテンプレート部分を有するインプラント位置決めテンプレートが好ましくは上記インプラント及びアンカーとともに使用するために提供され、前記第一テンプレート部分は、インプラントガイドであり、かつ前記歯科用インプラントが設置される内腔を形成するために使用されるツールの対象の顎骨中への進入の角度を案内するための少なくとも一つの内腔を内部に形成し、さらに、前記第二テンプレート部分は、インプラントアンカーガイドであり、かつ横方向の内腔を形成するために使用されるツールの対象の顎骨の第一皮質板中への進入の角度を案内するための少なくとも二つの内腔を内部に形成し、その横方向の内腔を通して前記インプラントアンカーは顎骨の第一及び第二皮質板の組織を同時係合しながら前記歯科用インプラントとインターロックするように設置される。
【００２１】
さらに好ましい実施態様によれば、前記ブリッジ部材はその上に外側に面する指標部材を形成し、前記第二テンプレート部分はその中に指標凹所を形成し、前記指標部材及び前記指標凹所は、前記インプラントアンカーが前記歯科用インプラントをその中で受けるように位置されるように前記インプラントアンカーに対して予め決められた位置で前記インプラントガイド内に形成された前記少なくとも一つの内腔を位置するようにかみ合い係合を行なうように作用する。
【００２２】
さらに、本実施態様によれば、前記インプラント位置決めテンプレートは互いに対して前記第一及び第二ガイド部分の位置を選択的に調整するための装置を含む。
【００２３】
さらに、本実施態様によれば、キットは、前記歯科用インプラントの設置のための部位に、対象の顎骨に対する前記インプラント位置決めテンプレートの高さを調整するための装置をさらに含む。この装置は例えば第一ガイド部分と顎骨の間に配置されるように適応されたスペーサ装置の形態をとってもよい。
【００２４】
好ましくは、インプラント位置決めテンプレートはまた、前記第一ガイド部分に接続されかつ前記第二ガイド部分に一般に平行である第三ガイド部分を含み、前記第二及び第三ガイド部分は、前記第一ガイド部分の前記少なくとも一つの内腔のその上で心合わせを助けるように歯科用インプラントの部位で顎骨のまわりに着座するように適応されている。
【００２５】
また、本発明のさらに好ましい実施態様によれば、歯科用インプラントを対象の顎骨に、それに対して予め決められた実質的に移動できない位置に固定する方法であって、
ａ）対象の顎骨の第一及び所望により好ましくは第二皮質板に、ブリッジ部材によって相互接続された第一及び第二の細長い部材を有する多皮質インプラントアンカーを固定する工程；及び
ｂ）第一及び第二の細長い部材の間に、一般に細長いシャンク及びその予め決められた部分に形成された把持可能な領域を有する一般に円柱形の歯科用インプラントを挿入し、それによってインプラントアンカーとインターロックされ、その第一及び第二皮質板の各々において二つの点で顎骨に固定される工程、
を含む方法が提供される。
【００２６】
さらに、本発明の方法によれば、前記固定する工程ａ）は：
ｃ）第一皮質板においてその中の選択された位置に一対のアンカー穴を形成する工程、及び
ｄ）ブリッジ部材が顎骨の外側に面する表面に接触しかつ第一及び第二の細長い部材の自由端が第二皮質板を貫通するまで、第一皮質板を完全に貫通するように、第一及び第二の細長い部材をそれらの穴に同時に挿入し、それによって四つの皮質アンカー点にアンカーを与える工程、
を含み、
一般的に円柱形のインプラントを挿入する前記工程ｂ）は：
ｅ）顎骨においてその中の選択された位置に歯科用インプラントのための開口を形成する工程、及び
ｆ）歯科用インプラントをそのための穴に挿入する工程、
を含み、ｄ）第一及び第二の細長い部材を同時に挿入し、ｅ）歯科用インプラントを挿入する前記工程は歯科用インプラントを四つの皮質アンカー点で固定するように歯科用インプラントと多皮質アンカーの間のインターロッキングを起こすように組み合わされる工程、
を含む。
【００２７】
さらに、本発明の方法によれば、一般に円柱形の歯科用インプラントはその外部上にねじ山を形成され、インプラントアンカーの第一及び第二の細長い部材はねじ山に係合するように適応された細められた内側に面する表面で終わり、歯科用インプラントをそのための穴に挿入する前記工程ｆ）は一般に円柱形の歯科用インプラントを予め挿入されたインプラントアンカーにねじ込む工程ｇ）を含む。
【００２８】
さらに、本発明の方法によれば、一般に円柱形の歯科用インプラントはその外部上にねじ山を形成され、第一及び第二の細長い部材を同時に挿入する前記工程ｄ）に続いて、インプラントアンカーの第一及び第二の細長い部材の内側に面する部分にねじ山を形成し、ねじ山部分が一般に円柱形の歯科用インプラントが挿入される選択された位置及び方向に対応する位置及び方向を有するように形成される追加の工程ｈ）が与えられ、
歯科用インプラントをそのための穴に挿入する前記工程ｆ）はインプラントアンカーに形成されたねじ山部分と係合するために一般に円柱形の歯科用インプラントをねじ込む工程ｉ）を含む。
【００２９】
また、前記方法は好ましくは、ｊ）一対のアンカー穴を形成する前記工程ｃ）の前に、歯科用インプラントの部位の上に、少なくとも二つのアンカー位置決め穴を内部に形成したインプラント位置決めテンプレートを位置させ、アンカー穴の位置及び方向の選択を助ける工程、及びｋ）前記アンカーを与えるために第一及び第二の細長い部材をアンカー穴に挿入できるようにインプラント位置決めテンプレートを除去する工程をさらに含み、
一対のアンカー穴を形成する前記工程ｃ）はインプラント位置決めテンプレートのアンカー位置決め穴の二つに穴形成ツールを挿入し、それによって選択された位置及び方向に穴を形成する工程を含む。
【００３０】
好ましくは、前記方法はまた、ｍ）第一及び第二の細長い部材を同時に挿入する前記工程ｄ）の後、歯科用インプラントの部位の上に、少なくとも一つのインプラント位置決め穴を内部に形成したインプラント位置決めテンプレートを位置させ、インプラント穴の位置及び方向の選択を助ける工程、及び
ｎ）歯科用インプラントのための開口を形成する前記工程ｅ）の後、インプラント位置決めテンプレートを除去して歯科用インプラントの前記挿入を可能とする工程
をさらに含み、
歯科用インプラントのための開口を形成する前記工程ｅ）はインプラント位置決めテンプレートの選択されたインプラントの位置決め穴に穴形成ツールを挿入し、それによって選択された位置及び方向にインプラント穴を形成する工程ｏ）を含む。
【００３１】
さらに、本発明の方法によれば、インプラント穴の位置及び方向の選択を助けるためにインプラント位置決めテンプレートを位置決めする前記工程ｐ）はインプラントアンカーに対してインプラント位置決めテンプレートを示し、それによって歯科用インプラントを挿入する前記工程の後の歯科用インプラントの位置及び方向をインプラントアンカーの位置及び方向と調和する工程ｑ）を含む。
【００３２】
本発明のさらに別の側面によれば、上記のような多皮質インプラントアンカーとともに使用するための歯科用インプラントが提供され、歯科用インプラントは一般に細長いシャンク及び前記シャンクの予め決められた部分に形成された把持可能な領域を含み、前記把持可能な領域は、前記多皮質インプラントアンカーによってロック可能に係合され、それによって歯科用インプラントがその縦軸まわりの回転方向以外の方向で旋回することを防止するように設計及び構成される。好ましくは、把持可能な領域はねじ切りされている。
【００３３】
別途定義されない限り、本明細書中で使用されるすべての技術的用語および科学的用語は、本発明が属する技術分野の当業者によって一般に理解されるのと同じ意味を有する。本明細書中に記載される方法および材料と類似または同等である方法および材料を本発明の実施または試験において使用することができるが、好適な方法および材料が以下に記載される。本明細書中で言及された全ての刊行物、特許出願、特許、および他の参考文献は、その全体が本明細書に援用される。矛盾する場合には、定義を含めて、本特許明細書が優先する。加えて、材料、方法および実施例は例示にすぎず、限定であることは意図されない。
【００３４】
図面の簡単な記述
本明細書では本発明を単に例示し添付図面を参照して説明する。特に詳細に図面を参照して、示されている詳細が例示として本発明の好ましい実施態様を例示考察することだけを目的としており、本発明の原理や概念の側面の最も有用でかつ容易に理解される説明であると考えられるものを提供するために提示していることを強調するものである。この点について、本発明を基本的に理解するのに必要である以上に詳細に本発明の構造の詳細は示す試みはなされないが、図面について行う説明によって本発明の幾つもの形態を実施する方法は当業者には明らかになるであろう。
【００３５】
図１Ａは、本発明の好ましい実施態様に従って構成された多皮質インプラントアンカーの概略図である。
図１Ｂは、歯科用インプラントの概略図である。
図１Ｃは、本発明の好ましい実施態様による対象の顎骨内の位置の多皮質固定自動ロック式インプラントの概略図である。
図２Ａは、ねじ山形成時のアンカーの概略的平面図である。
図２Ｂは、ねじ山形成後の図１Ａのアンカーの概略図である。
図３Ａは、本発明の別の実施態様による方形のウエスト部分を有する、図１に示されるような多皮質インプラントアンカーとともに使用するためのインプラントの概略的部分側面図である。
図３Ｂは、線Ｂ−Ｂに沿ってとった図３Ａのインプラント横断面図である。
図３Ｃ及び３Ｄは、図３Ａ及び３Ｂと同様の図であるが、その組立後の多皮質インプラントアンカーを示す。
図４は、本発明のさらなる実施態様に従って構成された多皮質インプラントアンカーの概略図である。
図５Ａは、本発明の追加の実施態様による丸められたウエスト部分を有する、図４の多皮質インプラントアンカーとともに使用するためのインプラントの概略的部分側面図である。
図５Ｂは、線Ｂ−Ｂに沿ってとった図５Ａのインプラントの横断面図である。
図５Ｃ及び５Ｄは、図５Ａ及び５Ｂと同様の図であるが、その組立後の多皮質インプラントアンカーを示す。
図６Ａは、本発明のさらなる実施態様に従って構成された、ねじ山に係合するように形成された歯科用インプラントのための多皮質インプラントアンカーの概略図である。
図６Ｂは、インプラントとともに組立てた後の図６Ａの多皮質インプラントアンカーの概略的平面図である。
図６Ｃは、図６Ｂで見られるような組立て後のインプラント及び多皮質インプラントアンカーの概略的側面図である。
図７Ａ，７Ｂ，７Ｃ及び７Ｄは、本発明の様々な実施態様に従って構成及び作用されるインプラント位置決めテンプレートの概略図である。
【発明を実施するための最良の形態】
【００３６】
本発明は、歯科用インプラント、歯科用インプラントのための固定装置、それを含むキット、それを使用する方法、及びその方法を実施するのを助ける装置である。
【００３７】
本発明の少なくとも１つの実施形態を詳しく説明する前に、本発明は、その適用において、下記の説明において示されるかまたは図面によって例示される構造および構成要素の配置の細部に限定されないことを理解しなければならない。本発明は他の実施形態が可能であり、または様々な方法で実施または実行されることができる。また、本明細書中で用いられる表現法および用語法は記述のためのものであって、限定であると見なしてはならないことを理解しなければならない。
【００３８】
図１Ａ，１Ｂ，１Ｃ，２Ａ，２Ｂ，３Ａ，３Ｂ，４，５Ａ，６Ａ−６Ｃを参照すると、本発明の好ましい実施態様に従って、一般に１０で参照される歯科用インプラント、一般に２０で参照される多皮質インプラントアンカー、及び一般に７０で参照されるインプラント位置決めテンプレートを含む多皮質自動ロック式歯科用インプラントが与えられている。図１Ｃを例外として全ての図において、図に関連して記載された本発明の様々な構成要素並びにその特定部分は同様の構成要素及び部分を示すために同様の参照番号を使用するが、それらが示される図によって特定の実施態様を識別するために接頭番号が付加されることに注意されるだろう。それゆえ、例えばインプラント１０は、図１Ｂでは１１０、図３Ｂでは３１０、図５Ａ及び５Ｂでは５１０、図６Ｂ及び６Ｃでは６１０で示される。同様に、アンカー２０は、図１Ａでは１２０、図２Ａ及び２Ｂでは２２０、図３Ａ及び３Ｂでは３２０、図４では４２０、図５Ｂでは５２０、図６Ａ，６Ｂ及び６Ｃでは６２０で示される。
【００３９】
さらに、本発明の部分が一つより多い実施態様と関連して記載されるとき、上述のような接頭番号の付加なしで基本的な参照番号が使用される。
【００４０】
さらなる明確化によって、一般に例えば図１Ｃを参照し、特定の単一の示された実施態様を特に参照しないとき、インプラント及びアンカーはそれぞれ、単に参照番号１０及び２０によって示される。
【００４１】
さらに、本発明の三つの主要な構成要素、即ちインプラント１０、アンカー２０及びテンプレートが一緒に本発明の多皮質キットを形成するにしても、これらの構成要素の各々がそれ自体で本発明の特徴を具体化することが認識されるだろう。従って、多皮質自動ロック式歯科用インプラントキット自体、及び歯科用インプラントを固定する方法の以下の記載は、本発明を、全体としてとられるときにキットだけに、又は特にそのキットを使用する方法に限定することを特に意図されない。むしろ、キット及びその使用の記載は、単に便宜上のため、及び本発明の発明的構成要素が本発明の好ましい実施態様に従って最も良好に一緒に使用されることができる方法を示すためのものである。
【００４２】
図１Ａ，１Ｂ，１Ｃ，２Ａ，２Ｂ，３Ａ，３Ｂ，４，５Ａ，５Ｂ及び６Ａ−６Ｃを参照すると、本発明は、図１ＣにおいてＪの外形線で示された対象の顎骨に設置するための歯科用インプラント１０（図１Ｂ，３Ａ，３Ｂ，３Ｃ，３Ｄ，５Ａ，５Ｂ，５Ｃ，５Ｄ，６Ｂ及び６Ｃ）を含む。示されたインプラント１０は、一般に細長いシャンク１１、及びインプラントアンカー２０とのインターロッキング係合のために把持されるようにシャンクの予め決められた部分に形成された把持可能な領域１２を含む（図１Ａ，２Ｂ，３Ｃ，３Ｄ，４，５Ｃ，５Ｄ，６Ａ，６Ｂ及び６Ｃ）。インプラントアンカー１０はチタン、ジルコニウム、及びタンタルの如き好適な外科材料、典型的には金属から製造される。インプラントアンカー１０は、図１Ｃに示されるように縦軸１０ａを有する。
【００４３】
特に図１Ｃに示されるように、本発明の多皮質インプラントアンカー２０は、対象の顎骨Ｊに対して予め選択された位置で歯科用インプラント１０とのかみ合い係合をインターロッキングするために適応されている。
【００４４】
図１Ａ，２Ｂ，３Ｃ，３Ｄ，４，５Ｃ，５Ｄ，６Ａ，６Ｂ及び６Ｃに示されるように、インプラントアンカー２０は、以下に詳細に記載されるように、第一及び第二の細長い部材又は尖った先（それぞれ２１及び２２で参照）、及びそれらを横切るブリッジ部材（３０で参照）を持つように、縦軸２０ａを有するＵの全体形状を持つ単一部材として形成されることが好ましい。
【００４５】
第一の細長い部材又は尖った先２１は第一及び第二端（それぞれ２１ａ及び２１ｂで参照）及び縦軸２５を有する。第二の細長い部材又は尖った先２２は、第一の細長い部材２１と同一であり、第一及び第二端（それぞれ２２ａ及び２２ｂで参照）及び縦軸２５を有する。一緒に、細長い部材２１及び２２は、歯科用インプラント１０の把持可能な領域１２にロック可能に係合するように作用し、さらに図１Ｃ，２Ａ及び６Ｂに示されるように、歯科用インプラントとインターロックされながら顎骨Ｊの第一皮質板Ｊ１の組織及び顎骨Ｊの第二皮質板Ｊ２の組織に同時係合するように適応され、それによって第一の細長い部材又は尖った先２１の縦軸に対して横切る方向の旋回に対して第一対の皮質アンカー点Ｐ，Ｑで歯科用インプラントをロックし、好ましくは、本発明の幾つかの実施態様では、歯科用インプラントの把持可能な領域を第一及び第二の細長い部材との接触にもたらすように設計されたねじり／回転運動以外のいかなる方向の５０〜１００マイクロメータより大きい震えの如きインプラントの動きを防止し、また第二の細長い部材又は尖った先２２の縦軸に対して横切る方向の旋回に対して第二対の皮質アンカー点Ｒ，Ｓで歯科用インプラントをロックする。
【００４６】
上記したように、ブリッジ部材３０は、第一及び第二の細長い部材又は尖った先２１及び２２の第一端２１ａ及び２２ａに接続されるか又はそれらと一体化され、図１Ｃに示すように、多皮質インプラントアンカー２０が歯科用インプラント１０との完全なロッキング係合の位置であるときに顎骨Ｊの第一皮質板Ｊ１に接触するように適応される。尖った先又は細長い部材２１及び２２の第二端２１ｂ及び２２ｂは、図１Ａ，１Ｃ，２Ａ，２Ｂ，３Ｃ，４，５Ｃ，６Ａ及び６Ｂに示すようにアンカーの設置時に皮質組織に形成された内腔に容易に入るようにわずかに細められた又は鋭くされた構成を有する自由端である。これは以下の方法の記載から十分に理解されるだろう。
【００４７】
本発明の好ましい実施態様によれば、特に図１Ａ及び１Ｂで説明されるように、インプラントアンカー１０は弾性圧縮部材として形成され、尖った先の間の距離Ｐは歯科用インプラントの予め決められた部分の厚さＴよりそれらの間のかみ合い係合をインターロッキングする前では小さい。
【００４８】
インプラント１０が皮質板Ｊ１とＪ２の間に位置され、その後にインプラントアンカー２０がそれらと係合するために挿入される本発明の実施態様によれば、インプラントとアンカーの間の必要なかみ合い係合を実施するためにかみ合い力を適用してもよい。かかるかみ合い力に反応して、尖った先２１及び２２は互いにさらに分離されるように反応し、それらの間の距離はＴに増大し、それによってインプラントのまわりのその挿入を容易にする。このかみ合い又は弾性力は続いて、図１Ｃに示されるような多皮質固定を生じるようにインプラント１０との把持係合で尖った先２１及び２２の内側に面する部分２１Ｃ及び２２Ｃをロックするように作用する。
【００４９】
図１Ａ，１Ｃ及び２Ｂをもう一度参照すると、本発明の好ましい実施態様によれば、一般に外側に突出する指標部材３２がブリッジ部材３０上に与えられていることが見られる。以下の本発明の方法の記載から十分に認識されるように、指標部材３２の目的は、インプラント位置決めテンプレート７０内に形成された対応する指標凹所３４（図７Ａ，７Ｂ及び７Ｄ）とともに、テンプレート７０の位置、従ってインプラント１０及びインプラントアンカー２０の位置を決定することである。
【００５０】
図７Ａ−７Ｄを参照すると、図１Ａ，１Ｃ，２Ａ及び２Ｂと関連して上で示され記載されたように、インプラント１０及びインプラントアンカー２０の両方の正確な位置決めを助けるために、様々な実施態様においてインプラント位置決めテンプレート７０が示されている。四つの図面（図７Ａ−７Ｄ）では、本発明の様々な実施態様に従って構成されたインプラント位置決めテンプレートが示されている。従って、様々な実施態様において同様の構成要素が同様の参照番号で示されるが、特定の図に対応する接頭数字が付加される。例えば、テンプレート７０は図７Ａでは７０ａとして、図７Ｂでは７０ｂとして示される。
【００５１】
テンプレート７０の機能は顎骨Ｊにおけるインプラントアンカー２０、従ってインプラント１０の正確な位置決めを助けることである（図１Ｃ及び７Ａ）。この目的のために、テンプレート７０は歯科用インプラントの部位上の設置のために適応された第一、第二及び第三の相互接続された相互に直交するテンプレート部分（それぞれ７２，７４及び７６で参照される）を与えられる。
【００５２】
図７Ａの概略図によってわかるように、第一テンプレート部分７２は、インプラントガイドであり、歯科用インプラントが設置される内腔を顎骨に形成するために使用されるツール８０の対象の顎骨中への進入の角度を案内するための少なくとも一つの内腔７８を内部に形成している。第二テンプレート７４は、インプラントアンカーガイドであり、究極的には顎骨の第一及び第二皮質板Ｊ１及びＪ２の組織及び歯科用インプラント１０と同時相互インターロッキング係合される、歯科用インプラント２０が設置される横方向の内腔を形成するために使用されるツールの対象の顎骨の第一皮質板Ｊ１への進入の角度を案内するための少なくとも二つの内腔を８２を内部に形成している。第三ガイド部分７６は、第二ガイド部分７４に対して一般に平行な方向を有するように第一ガイド部分７２に接続されるように見られ、第二ガイド部分７４とともに顎骨上で内腔７８を心合わせするように作用する。
【００５３】
テンプレート７０は、必要により例えばインプラント１０が最初に位置され、次いでアンカー２０だけが挿入される、図３Ａ−５Ｄの実施態様と関連して以下に示され記載されたインプラントの位置決めのために、インプラント１０の設置、その後のインプラントアンカー２０の設置のために使用されてもよい。しかしながら、テンプレート７０は、アンカー２０が最初に位置され、次いでインプラント１０の設置のためのガイドとして作用する、図１Ａ−２Ｂの実施態様と関連した最大の利点のために使用される。
【００５４】
この後者の使用によれば、第二テンプレート部分７４に形成されているのは指標凹所３４である。いったんインプラントアンカー２０が適切に位置されると、テンプレート７０がインプラント上で、指標部材３２（図１Ａ，１Ｃ及び２Ｂ）と指標凹所３４の間のかみ合い係合によって示される位置へ位置されてもよいことが認識されるだろう。これは顎骨内のアンカー２０の方向に対して正確な位置関係でインプラントのための顎骨における穴の形成を可能にする。
【００５５】
インプラント１０とインプラントアンカー２０の両方に対する内腔の正確な位置決めが通常、設置時に決定されることに照らして、第一及び第二テンプレート部分７２及び７４のそれぞれに形成された内腔７８及び８２の相対的位置決めが調整可能であることが好ましい。これは矢印７３及び８３によって概略的に示される。
【００５６】
従って、本発明のさらに好ましい実施態様によれば、図７Ｂ，７Ｃ及び７Ｄの各々において、本発明のテンプレート７０のわずかに異なる例示的変形が示される。
【００５７】
簡単に言うと、図７Ｂにおいて、第二及び第三ガイド部分７４ｂ及び７６ｂが参照番号７７によって示される複数の水平ねじ部材によって互いに関して及び介在する第一ガイド部分７２ｂに対して横方向に調整可能であることがわかる。ねじ部材７７が第二と第三ガイド部分７４ｂ及び７６ｂの間に横方向の間隔を増加又は減少するために調整され、それによって第一ガイド部分７２ｂの位置、結果としてインプラント位置決め内腔７８ｂの位置を調整することが認識されるだろう。
【００５８】
図７Ｃの実施態様では、第二及び第三ガイド部分７４ｂ及び７６ｂが横方向に調整可能である図７Ｂの実施態様とは対照的に、それらが垂直ねじ部材７９によって第一ガイド部分７２ｃに関してのみ調整可能であることがわかる。明らかに、これは、アンカー２０に対して作られる穴（図示せず）の垂直方向の位置決めを調整しようとするときに有用である。
【００５９】
図７Ｂ及び７Ｃの実施態様の両方の改良を組み込んだ図７Ｄの実施態様が最も有用であり、従ってそれはさらなる説明を必要としない。
【００６０】
図１Ｃ−２Ｂを参照すると、歯科用インプラント１０を対象の顎骨Ｊに、それに対して予め決められた実質的に動くことができない位置で固定する方法が記載されている。明確化のため、以下で使用される参照番号は図１Ｃの参照番号であるが、それはまた、適当な場合、図２Ａ及び２Ｂの同様の部分及び構成要素に関する。
【００６１】
従って、方法は下記工程を含む：
１．テンプレート７０を選択されたインプラント部位上に位置させる。
２．テンプレート７０のアンカー位置決め穴８２ａを介して、顎骨の皮質板Ｊ１に横方向の穴を形成する。
３．テンプレート７０を除去する。
４．指標部材３２が第一皮質板Ｊ１から外側に突出するように、細長い部材２１及び２２が第二皮質板Ｊ２にしっかりと埋め込まれるまで、横方向の穴を通してインプラントアンカーの尖った先又は細長い部材２１及び２２を注意深く挿入する。
５．指標部材３２が指標凹所３４に入るようにテンプレート７０をインプラント部位上に位置させ、従ってアンカー２０の位置に関するインプラント位置決め内腔７８の位置を決定する。
６．アンカー２０に関して正確な位置及び方向で、歯科用インプラント１０が位置される内腔を顎骨に形成するために使用されるツール８０を、位置決め内腔７８を通して挿入する。
７．ツール８０を除去し、所望により代替的なねじ形成ツール（図示せず）を位置決め内腔７８を通して挿入し、要求される正確なサイズ、角度及び位置のねじ山を形成し、インプラントのために、顎骨における内腔の形成を完了する。
８．テンプレート７０を除去し、ねじ込み行為により顎骨に形成された内腔中にインプラント１０を挿入し、それによって皮質における多数の点でインプラントを適所にロック可能に固定する。
９．アンカーの尖った先２１及び２２の端２１ｂ及び２２ｂ及び指標部材３２を含む、アンカー２０の外部に突出する部分を整形する。
【００６２】
図３Ａ−５Ｄを参照すると、本発明の一実施態様によれば、インプラント１０の外部は細いウエスト部分又は周囲溝として形成される。
【００６３】
本発明の一実施態様によれば、３１３で参照される溝は図３Ａ―３Ｄで見られるように一般に直線状の形状であり、図３Ｄで示されるように適切に形成されたインプラントアンカー３２０の直線状に造形された内側に面する尖った先３２１及び３２２に着座するように適応されている。図３Ｂ及び３Ｄを参照して理解されるように、溝がインプラント３１０の全周囲に沿って均一であることは、インプラントの軸方向の回転の角度にかかわらず、インプラント３１０及びアンカー３２０が相互の位置及び角度の整合状態にあることを条件として、記載されたようにアンカー３２０を溝３１３中に挿入して、それとかみ合い係合することが常に可能であるだろう。
【００６４】
同様の利点は図４−５Ｄに示された実施態様からも生じる。図４，５Ｃ及び５Ｄでわかるように、尖った先２１及び２２のそれぞれの内側に面する部分２１ｃ及び２２ｃは湾曲されてもよく、インプラント５１０のウエスト部分又は溝５１３は、図５Ｃに示されたように尖った先の湾曲された内側に面する部分に着座するように一般に半円形又は楕円形横断面を有する周囲溝として形成される。
【００６５】
図１Ａ，１Ｂ，２Ａ，２Ｂ及び６Ａ−６Ｃを参照すると、本発明の好ましい実施態様によれば、インプラント１０が使用され、その外部の把持可能な部分１２はその上にねじ山１４を形成している。これは以下に記載されるように特別な利点であり、その利点は使用時に、アンカー２０は図１Ｃに示されるように最初に多皮質固定位置に位置され、その後インプラント１０はねじ込み行為によって正確に正しい位置及び方向で挿入されることができることである。
【００６６】
特に図２Ｂを参照すると、この正確なねじ込み挿入は、尖った先の内側に面する部分の各々の上に形成されたくぼんだ凹所に、インプラント１０のねじ山１４にねじ係合するように構成されたねじ山２４を形成することによって達成されることができる。本発明の一実施態様によれば、アンカーねじ山２４はインプラントアンカーの製造時に形成されてもよいが、これは必要とされうるインプラントの正確な位置決めに対応して、多数の様々なアンカーの在庫を不可避的に必要とするだろう。
【００６７】
従って、本発明の好ましい実施態様によれば、図２でわかるように、そして本発明の方法と組み合わせて以下にさらに記載されるように、ねじ山は製造時に形成されず、実質的に図１Ａに示されるアンカー１２０に従って「ブランク」として製造される。
【００６８】
それゆえ、使用において、図２Ａに示されるように、アンカー２２０は対象の顎骨内の位置に挿入され、第一及び第二皮質板Ｊ１及びＪ２に適切に固定される。挿入後、好ましくは図７Ａ−７Ｄと結合して示され記載されるようにテンプレート７０の使用によって、インプラントが挿入される正確な位置及び角度を決定することができる。続いて、図２Ａに概略的に示されるように、インプラント１０が導入される必要な開口の形成後、ねじ山形成ツール２２５は、インプラント１０が設置される正確に正しい位置及び角度で尖った先２２１及び２２２の内側に面する部分上にねじ山２２４を形成するように開口中に導入される。最後に、インプラントはアンカー中の新しく形成されたねじ山２２４中の適所にねじ込まれてもよい。
【００６９】
図６Ａ−６Ｃを参照すると、本発明の代替実施態様によれば、本発明の一実施態様に従って構成及び操作される、歯科用インプラント６１０とともに使用するためのアンカー６２０が提供される。インプラントアンカー６２０は、一般にＵ形状であり、ブリッジ６３０によって一般に直交して互いに接続されかつブリッジ６３０と一体的に形成された二つの一般に平行な尖った先６２１及び６２２を有する。尖った先６２１及び６２２は、予め決められた長さを有し、先細にされるか又は鋭利にされた端１５０を有する。インプラントアンカー６２０のブリッジ６３０及び尖った先６２１及び６２２は全て、インプラントアンカー６２０のＵ形状に対して内側に突出しかつそれに対して一般に直交するブレード６３０′，６２１′及び６２２′をそれぞれ有する。インプラントアンカー６２０は典型的にはチタンから作られるが、ジルコニウム、タンタル、又は好適には強くて弾力性のある他の生体適合性材料から作られてもよい。
【００７０】
インプラントアンカー６２０は、歯科の患者の顎骨に穿孔されるか又はそうでなければ好適に形成された内腔において設置した後に歯科用インプラントを固定するために使用される。図６Ｂを参照すると、インプラントアンカー６２０は、第一及び第二皮質板Ｊ１及びＪ２によって概略的に示された顎骨に設置された歯科用インプラント６１０を固定することが見られる。図に示されるように、インプラントアンカー６２０は、ブリッジ６３０が外側の皮質表面に当接しかつブリッジ６３０のブレード６３０′がその中に埋め込まれるまで、外部皮質板Ｊ１を通して挿入される。
【００７１】
ある場合において、インプラントアンカー６２０が歯科用インプラントの設置前に患者の顎骨に設置されることが有利でありうること、及び歯科用インプラント６１０が所望の位置で固定係合されるまでインプラントアンカー６２０の尖った先６２１と６２２の間に設けられた内腔中にねじ込まれることが注意されるべきである。一つの利点は、インプラントアンカー６２０が、いったん患者の顎骨に設置されたら、所望の位置の歯科用インプラント６１０の設置のためのガイドとして作用することである。かかる場合において、歯科用インプラント６１０のねじを切られた部分は円柱形状というよりむしろ先細にされることができ、かくして適切な位置又は深さがインプラントアンカー６２０とインターロックする歯科用インプラントの直径を決定する。
【００７２】
インプラントアンカー６２０は、インプラントアンカー６２０が上記のように顎骨に完全に挿入されるとき、その先細にされるか又は鋭利にされた端６２１ｂ及び６２２ｂが図に示されたようにそこから出現することなく顎骨の第二の、この場合、内部の皮質板Ｊ１の組織に埋め込まれるような長さの尖った先６２１及び６２２を用いて設計され組み立てられる。端６２１ｂ及び６２２ｂが実際に、顎骨の内部皮質板Ｊ１からわずかに出現及び突出する場合には、端６２１ｂ及び６２２ｂは切断されるか又はそうでなければ短くされることができる。さらに、インプラントアンカー６２０は、そのブレード６２１′と６２２′の間の距離がそれらが係合及びインターロックする歯科用インプラント６１０の直径よりわずかに小さいような長さのブリッジ６３０を用いて設計され組み立てられる。
【００７３】
インプラントアンカー６２０は、歯科開業医によって決定されるように、患者の顎骨の内部皮質板Ｊ１から外部皮質板Ｊ２まで、又は外部皮質板Ｊ２から内部皮質板Ｊ１までのいずれかで設置されてもよい。
【００７４】
図６Ｃを簡単に参照すると、インプラントアンカー６２０の尖った先６２１及び６２２の各々がティ形状の横断面構成を有し、それは、ティの平坦な上部がインプラント６１０の軸に対して一般に平行であり、かつ各尖った先のブレード６２１′及び６２２′がティの中央足を形成するように配向されていることがわかる。尖った先６２１及び６２２のブレード６２１′及び６２２′は歯科用インプラント６１０のねじ山６１４の谷に係合し、歯科用インプラント６１０の谷間直径Ｄはインプラントアンカーの尖った先６２１及び６２２のブレード６２１′及び６２２′の内部縁間の間隔よりわずかに大きい。Ｄと間隔の間のこの差は、インプラントアンカーの尖った先６２１及び６２２のブレード６２１′及び６２２′が歯科用インプラント６１０に対して圧縮力を及ぼし、それがインターロッキング係合を与えることを確実にするだろう。
【００７５】
インプラントアンカー６２０が、設置される歯科用インプラント６１０のまわりの顎骨中に挿入されると、その尖った先６２１及び６２２は外側方向に変位される。尖った先６２１及び６２２のブレード６２１′及び６２２′はその端６２１ｂ及び６２２ｂに向かって滑らかにかつ徐々に先細になっているので、この変位は緩やかであるだろう。インプラントアンカー６２０は、そのブリッジ６３０のブレード６３０′が顎骨の外部皮質板Ｊ２に埋め込まれ、その両方の尖った先６２１及び６２２の端６２１ｂ及び６２２ｂが顎骨の内部皮質板Ｊ１に埋め込まれるので、歯科用インプラント６１０はインプラントアンカー６２０によって顎骨の硬い皮質板Ｊ２及びＪ１に対して動かないように効果的に固定される。この確実で安定した固定は、補綴物が長い待ち時間なしに歯科用インプラント６１０上に設置され装填されることを可能にする。それはまた、短いインプラントの使用を可能にし、補助的な骨移植手術の必要性を除去する。
【００７６】
当業者によって理解されるように、尖った先６２１及び６２２のブレード６２１′及び６２２′の端６２１ｂ及び６２２ｂの滑らかにかつ徐々に先細にされたプロファイルは、設置される歯科用インプラント６１０に対するインプラントアンカー６２０の整合において少量の「遊び」を許容する。なぜならば端６２１ｂ及び６２２ｂの先細形はそれらが設置時に係合するように歯科用インプラント６１０のまわりで尖った先６２１及び６２２のブレード６２１′及び６２２′を案内するからである。
【００７７】
図１Ａ−２Ｂの実施態様のように、インプラントアンカー６２０は、患者の顎骨の所望の位置への歯科用インプラント６１０の設置のためのガイドとして作用するように、歯科用インプラント６１０の設置前に設置されてもよいことが注意されるべきである。かかる場合において、歯科用インプラント６１０はインプラントアンカー６２０の尖った先６２１と６２２の間の空間にねじ込まれ、それは上記したように、患者の顎骨の皮質組織の多数の点で埋め込まれることによって固定される。歯科用インプラント６１０は定位置にねじ込まれる。そのねじ山は、歯科用インプラント６１０が患者の顎骨に対して所望の高さ又は垂直位置になり、インプラントアンカー６２０とのインターロッキング係合が達成されるまで、インプラントアンカー６２０の尖った先６２１及び６２２のブレード６２１′及び６２２′に係合する。わずかに先細にされたねじを切られた部分を有する歯科用インプラント６１０の選択はさらに、この最適な垂直方向の位置を決定するのに役立ちうる。
【００７８】
本発明の好ましい実施態様によれば、本発明はさらに、歯科用補綴物を必要とする患者に対して、下記工程を含む、患者の顎骨に歯科用インプラントを固定するために、上記のように多皮質インプラントアンカーを使用する方法を含む：
患者によって必要とされる補綴物に対して好適な歯科用インプラント６１０を選択する；
上で記載しかつ図６Ａに示されたように、好適なＵ形状インプラントアンカーを与え、患者の顎骨Ｊ（図１Ｃ）に歯科用インプラント６１０を固定する；
患者の顎骨Ｊ（図１Ｃ）に歯科用インプラント６１０を設置する；
Ｕの尖った先６２１及び６２２が図６Ｃに示されるように、設置された歯科用インプラント６１０のいずれかの側上で、患者の顎骨Ｊ（図１Ｃ）に沿ってその軸に沿って好適な位置にあるように、インプラントアンカー６２０を整合する；
インプラントアンカー６２０が歯科用インプラント６１０に係合するまで、患者の顎骨Ｊ（図１Ｃ）の第一皮質板を通してインプラントアンカー６２０を挿入する；そして
インプラントアンカー６２０の尖った先６２１及び６２２のブレード６２１′及び６２２′が歯科用インプラント６１０とインターロッキング係合するまでインプラントアンカー６２０を挿入しつづける。
【００７９】
さらに、好適なＵ形状インプラントアンカー６２０を与える工程は：
歯科用インプラント６１０の直径より予め決められた量だけ小さい長さのブリッジ６３０を有するＵ形状インプラントアンカー６２０を選択し；そして
インプラントアンカー６２０が患者の顎骨Ｊ（図１Ｃ）の補綴物を必要とする位置に完全に挿入されるときに端が患者の顎骨Ｊ（図１Ｃ）の第二皮質板から突出することなく、それに埋め込まれるような長さの尖った先６２１及び６２２を有するＵ形状インプラントアンカー６２０を選択する、
サブ工程を含み、
挿入しつづける工程はさらに、ブリッジ６３０のブレード６３０′が患者の顎骨Ｊ（図１Ｃ）の第一皮質板に係合するまで及びインプラントアンカー６２０のＵの尖った先６２１及び６２２の先細にされるか又は鋭利にされた端部分が図６Ｂに示されるように顎骨（図１Ｃ）の第二皮質板に埋め込まれるまで、インプラントアンカー６２０を挿入しつづける。
【００８０】
本実施態様では、インプラントアンカー６２０が患者の顎骨Ｊ（図１Ｃ）の外部皮質板から内部皮質板まで設置されるが、当業者に知られているように、インプラントアンカー６２０が内部皮質板から外部皮質板まで設置されることが有利であり、これらの場合は本発明に包含されることが注意されるべきである。従って、上で述べた実施態様の第一及び第二皮質板はそれぞれ、内部及び外部皮質板に言及してもよい。これらの場合及び実施態様はまた、本発明に包含される。
【００８１】
本発明のさらに好ましい実施態様によれば、本発明はさらに、歯科用補綴物を必要とする患者に対して、インプラントアンカー６２０が歯科用インプラント６１０の設置前に患者の顎骨に設置される、患者の顎への歯科用インプラント６１０の設置のために、上記のような多皮質インプラントアンカー６２０を使用する方法を含む。この実施態様では、インプラントアンカー６２０はさらに、患者の顎の所望の位置に歯科用インプラント６１０を設置するためのガイドとして作用する。本実施態様の方法は下記工程を含む：
患者によって必要とされる補綴物に対して好適にねじ切られた歯科用インプラント（それはさらに先細にされてもよい）を選択する；
上で記載しかつ図６Ａに示されたように、好適なＵ形状インプラントアンカー６２０を与え、患者の顎骨Ｊ（図１Ｃ）に歯科用インプラント６１０の設置を案内しそれを固定する；
尖った先６２１及び６２２が、必要とされる補綴物に対して歯科用インプラント６１０を設置するために所望の位置のいずれかの側上で、患者の顎骨Ｊ（図１Ｃ）に設置されることになる歯科用インプラント６１０の軸に沿って予め決められた点にあるように、インプラントアンカー６２０を整合する；
患者の顎骨Ｊ（図１Ｃ）の第一皮質板を通してインプラントアンカー６２０を挿入する；
ブリッジ６３０のブレード６３０′が患者の顎骨Ｊ（図１Ｃ）の第一皮質板に係合するまで及びインプラントアンカー６２０のＵの尖った先６２１及び６２２の先細にされるか又は鋭利にされた端部分が顎骨（図１Ｃ）の第二皮質板に埋め込まれるまでインプラントアンカー６２０を挿入しつづける；そして
インプラントアンカー６２０の尖った先６２１及び６２２のブレード６２１′及び６２２′が図６Ｃに示されたように、歯科用インプラント６１０のねじ山６１４とインターロッキング係合するように、患者の顎骨Ｊ（図１Ｃ）に歯科用インプラント６１０を設置する。
【００８２】
さらに、好適なＵ形状インプラントアンカー６２０を与える工程は：
下記のサブ工程を含む：
軸に沿った予め決められた点で歯科用インプラント６１０の直径Ｄより予め決められた量だけ小さい長さのブリッジ６３０を有するＵ形状のインプラントアンカー６２０を選択する；そして
インプラントアンカー６２０が図６Ｂに示されたように補綴物を必要とする位置に患者の顎骨Ｊ（図１Ｃ）中に完全に挿入されるときに端６２１ｂ及び６２２ｂが患者の顎骨Ｊ（図１Ｃ）の第二皮質板Ｊ２に埋め込まれるような長さの尖った先６２１及び６２２を有するＵ形状インプラントアンカー６２０を選択する。
【００８３】
さらに、本発明の本実施態様の方法によれば、歯科用インプラント６１０を設置する工程は、インプラントアンカー６２０の尖った先６２１及び６２２のブレード６２１′及び６２２′が軸に沿って予め決められた点で歯科用インプラント６１０のねじ山６１４とインターロッキング係合するまで患者の顎骨Ｊ（図１Ｃ）中に歯科用インプラント６１０をねじ込むことを含む。
【００８４】
さらに、その方法は、インプラントアンカー６２０を整合する工程の前に、歯科用インプラント６１０を設置するための予め決められた位置に患者の顎骨（図１Ｃ）に内腔を形成する工程を含み、インプラントアンカー６２０を整合する工程はさらに、尖った先６２１及び６２２が内腔のいずれかの側上にあるようにインプラントアンカー６２０を整合することを含む。
【００８５】
あるいは、その方法は、歯科用インプラント６１０を設置する工程の前に、歯科用インプラント６１０を設置するための予め決められた位置に患者の顎骨Ｊ（図１Ｃ）に内腔を形成する工程を含む。
【００８６】
明確にするために別個の実施態様の文脈で説明されている本発明の特定の特徴は、単一の実施態様に組み合わせて提供されることもできることは分かるであろう。逆に、簡潔にするために単一の実施態様の文脈で説明されている本発明の各種の特徴もまた、別個に又は好適なサブコンビネーションで提供されることができる。
【００８７】
本発明はその特定の実施態様によって説明してきたが、多くの別法、変更及び変形があることは当業者には明らかであることは明白である。従って、本発明は、本願の請求項の精神と広い範囲の中に入るこのような別法、変更及び変形すべてを包含するものである。本明細書中に挙げた刊行物、特許及び特許出願はすべて、個々の刊行物、特許及び特許出願が各々あたかも具体的にかつ個々に引用提示されているのと同程度に、全体を本明細書に援用するものである。さらに、本願で引用又は確認したことは本発明の先行技術として利用できるという自白とみなすべきではない。
【図面の簡単な説明】
【００８８】
【図１】図１Ａは、本発明の好ましい実施態様に従って構成された多皮質インプラントアンカーの概略図である。図１Ｂは、歯科用インプラントの概略図である。図１Ｃは、本発明の好ましい実施態様による対象の顎骨内の位置の多皮質固定自動ロック式インプラントの概略図である。
【図２】図２Ａは、ねじ山形成時のアンカーの概略的平面図である。図２Ｂは、ねじ山形成後の図１Ａのアンカーの概略図である。
【図３】図３Ａは、本発明の別の実施態様による方形のウエスト部分を有する、図１に示されるような多皮質インプラントアンカーとともに使用するためのインプラントの概略的部分側面図である。図３Ｂは、線Ｂ−Ｂに沿ってとった図３Ａのインプラント横断面図である。図３Ｃ及び３Ｄは、図３Ａ及び３Ｂと同様の図であるが、その組立後の多皮質インプラントアンカーを示す。
【図４】本発明のさらなる実施態様に従って構成された多皮質インプラントアンカーの概略図である。
【図５】図５Ａは、本発明の追加の実施態様による丸められたウエスト部分を有する、図４の多皮質インプラントアンカーとともに使用するためのインプラントの概略的部分側面図である。図５Ｂは、線Ｂ−Ｂに沿ってとった図５Ａのインプラントの横断面図である。図５Ｃ及び５Ｄは、図５Ａ及び５Ｂと同様の図であるが、その組立後の多皮質インプラントアンカーを示す。
【図６】図６Ａは、本発明のさらなる実施態様に従って構成された、ねじ山に係合するように形成された歯科用インプラントのための多皮質インプラントアンカーの概略図である。図６Ｂは、インプラントとともに組立てた後の図６Ａの多皮質インプラントアンカーの概略的平面図である。図６Ｃは、図６Ｂで見られるような組立て後のインプラント及び多皮質インプラントアンカーの概略的側面図である。
【図７Ａ−Ｂ】本発明の様々な実施態様に従って構成及び作用されるインプラント位置決めテンプレートの概略図である。
【図７Ｃ−Ｄ】本発明の様々な実施態様に従って構成及び作用されるインプラント位置決めテンプレートの概略図である。
【図１】
2008515478.tif 000002
【図２】
2008515478.tif 000003
【図３】
2008515478.tif 000004
【図４】
2008515478.tif 000005
【図５】
2008515478.tif 000006
【図６】
2008515478.tif 000007
【図７Ａ−Ｂ】
2008515478.tif 000008
【図７Ｃ−Ｄ】
2008515478.tif 000009
【手続補正書】
【提出日】平成18年8月23日(2006.8.23)
【手続補正１】
【補正対象書類名】特許請求の範囲
【補正対象項目名】全文
【補正方法】変更
【補正の内容】
【特許請求の範囲】
【請求項１】
一般に細長いシャンク及びその予め決められた部分で形成された把持可能な領域を有する歯科用インプラント、及び縦軸を有するアンカーを一般に形成するために第一の細長い部材と第二の細長い部材とそれらの間に接続されたブリッジ部材を含むアンカーを含むインプラント装置であって、前記第一の細長い部材及び前記第二の細長い部材が前記縦軸に対して横切る方向の旋回に対して前記歯科用インプラントの前記把持可能な領域をロック可能に係合するように構成されているインプラント装置。
【請求項２】
前記縦軸を有する前記アンカーが一般にＵ形状の構成を有する請求項１に記載のインプラント装置。
【請求項３】
前記第一の細長い部材及び前記第二の細長い部材の各々が第一及び第二端を有し、前記第一及び第二端が、前記縦軸に対して横切る方向の旋回に対して前記歯科用インプラントの前記把持可能な領域をロック可能に係合しながら、顎骨の第一皮質板の組織及び所望により顎骨の第二皮質板の組織をそれぞれ同時に係合するように寸法決めされている請求項１に記載のインプラント装置。
【請求項４】
前記第一及び第二の細長い部材が前記アンカーの尖った先として形成され、前記尖った先の自由端が皮質組織に形成された内腔に容易に入るようにわずかに細められた構成を有する請求項１に記載のインプラント装置。
【請求項５】
前記アンカーが弾性部材からなり、前記尖った先の間の距離が歯科用インプラントの予め決められた部分の厚さよりそれらの間の係合前では小さく、前記尖った先が、前記歯科用インプラントをロック可能に係合するために前記歯科用インプラントを挿入すると互いに分離されるようになる請求項４に記載のインプラント装置。
【請求項６】
前記尖った先が前記歯科用インプラントの前記把持可能な領域との把持係合のために適応された内側に面する表面を有する請求項４に記載のインプラント装置。
【請求項７】
前記インプラントの前記把持可能な領域が細められたウエスト部分として形成される請求項６に記載のインプラント装置。
【請求項８】
前記尖った先の前記内側に面する表面が湾曲され、前記ウエスト部分が前記尖った先の前記湾曲された内側に面する表面に着座するように構成される請求項７に記載のインプラント装置。
【請求項９】
前記尖った先の前記内側に面する表面が段付形態を有し、前記ウエスト部分が前記尖った先の前記段付の内側に面する表面に着座するように構成される請求項７に記載のインプラント装置。
【請求項１０】
前記歯科用インプラントの前記把持可能な領域がその上にねじ山を形成されている請求項６に記載のインプラント装置。
【請求項１１】
前記尖った先の各々が、その上部に、前記歯科用インプラントの前記把持可能な領域上に形成されたねじ山をねじりながら係合するように適応された少なくとも一つのねじ山を形成している請求項１０に記載のインプラント装置。
【請求項１２】
前記尖った先の前記内側に面する表面の各々が、前記歯科用インプラントの前記把持可能な領域上に形成された前記ねじ山をロック可能に係合するように適応されたブレード縁で終わる請求項１０に記載のインプラント装置。
【請求項１３】
前記アンカーが前記ブリッジ部材上に形成された一般に外側に面する指標部材をさらに含み、それが前記指標部材との係合を示すように構成された凹所を有するインプラント位置決めテンプレートの位置を決定するように適応されている請求項１に記載のインプラント装置。
【請求項１４】
請求項１に記載のインプラント装置、及び歯科用インプラントの部位上に設置するために適応された第一及び第二の相互接続された相互に直交するテンプレート部分を有するインプラント位置決めテンプレートを含む多皮質自動ロック式の歯科用インプラントキットであって、
前記第一テンプレート部分が、インプラントガイドであり、前記歯科用インプラントが設置される内腔を形成するために使用されるツールの対象の顎骨中への進入の角度を案内するための少なくとも一つの内腔を内部に形成し、
さらに、前記第二テンプレート部分が、インプラントアンカーガイドであり、かつ横方向の内腔を形成するために使用されるツールの対象の顎骨の第一皮質板中への進入の角度を案内するための少なくとも二つの内腔を内部に形成し、その横方向の内腔を通して前記インプラントアンカーが顎骨の第一及び第二皮質板の組織を同時係合しながら前記歯科用インプラントとインターロックするように設置される多皮質自動ロック式の歯科用インプラントキット。
【請求項１５】
前記ブリッジ部材がその上に外側に面する指標部材を形成し、前記第二テンプレート部分がその内部に指標凹所を形成し、前記指標部材及び前記指標凹所が、前記インプラントアンカーが前記歯科用インプラントをその中で受けるように位置されるように前記インプラントアンカーに対して予め決められた位置で前記インプラントガイド内に形成された前記少なくとも一つの内腔を位置するようにかみ合い係合を行なうように作用する請求項１４に記載の多皮質自動ロック式の歯科用インプラントキット。
【請求項１６】
前記インプラント位置決めテンプレートが、互いに対して前記第一及び第二ガイド部分の位置を選択的に調整するための手段を含む請求項１４に記載の多皮質自動ロック式の歯科用インプラントキット。
【請求項１７】
前記テンプレートが、前記歯科用インプラントの設置のための部位に、対象の顎骨に対する前記インプラント位置決めテンプレートの高さを調整するための手段をさらに含む請求項１４に記載の多皮質自動ロック式の歯科用インプラントキット。
【請求項１８】
前記インプラント位置決めテンプレートの高さを調整するための前記手段が、前記第一ガイド部分と顎骨の間に配置されるように適応されたスペーサを含む請求項１７に記載の多皮質自動ロック式の歯科用インプラントキット。
【請求項１９】
前記テンプレートが、前記第一ガイド部分に接続されかつ前記第二ガイド部分に一般に平行である第三ガイド部分をさらに含み、前記第二及び第三ガイド部分が、前記第一ガイド部分の前記少なくとも一つの内腔のその上で心合わせを助けるように歯科用インプラントの部位で顎骨のまわりに着座するように適応されている請求項１８に記載の多皮質自動ロック式の歯科用インプラントキット。
【請求項２０】
歯科用インプラントの設置のための部位の調製を助けるためのインプラント位置決めテンプレートであって、
前記テンプレートが歯科用インプラントの部位の上に設置するために適応された第一及び第二の相互接続された相互に直交するガイド部分を含み、
前記第一ガイド部分が、歯科用インプラントガイドであり、かつ前記歯科用インプラントが設置される内腔を形成するために使用されるツールの対象の顎骨中への進入の角度を案内するための少なくとも一つの内腔を内部に形成し、
さらに、前記第二ガイド部分が、インプラントアンカーガイドであり、かつ顎骨の第一及び第二皮質板に横方向の内腔を形成するために使用されるツールの対象の顎骨の第一皮質板中への進入の角度を案内するための少なくとも二つの内腔を内部に形成し、その横方向の内腔を通して前記インプラントアンカーが顎骨の第一及び第二皮質板の組織を同時係合しながら前記歯科用インプラントとインターロックするように設置されるインプラント位置決めテンプレート。
【請求項２１】
前記インプラントアンカーがその上に外側に面する指標部材を形成し、前記第二テンプレート部分がその内部に指標凹所を形成し、前記指標部材及び前記指標凹所が、前記インプラントアンカーが前記歯科用インプラントをその中で受けるように位置されるように前記インプラントアンカーに対して予め決められた位置で前記インプラントガイド内に形成された前記少なくとも一つの内腔を位置するようにかみ合い係合を行なうように作用する請求項２０に記載のインプラント位置決めテンプレート。
【請求項２２】
前記インプラント位置決めテンプレートが互いに対して前記第一及び第二ガイド部分の位置を調整するための手段をさらに含む請求項２０に記載インプラント位置決めテンプレート。
【請求項２３】
前記テンプレートが、前記歯科用インプラントの設置のための部位に、対象の顎骨に対する前記インプラント位置決めテンプレートの高さを調整するための手段をさらに含む請求項２０に記載のインプラント位置決めテンプレート。
【請求項２４】
前記インプラント位置決めテンプレートの高さを調整するための前記手段が、前記第一ガイド部分と顎骨の間に配置されるように適応されたスペーサを含む請求項２３に記載のインプラント位置決めテンプレート。
【請求項２５】
インプラントアンカーが、外側に面する指標部材を上部に形成したブリッジ部分を介して接続された一対の一般に平行な尖った先を有し、前記第二テンプレート部分が、インプラントアンカーが前記歯科用インプラントをその中で受けるように位置されるようにインプラントアンカーに対して予め決められた位置で前記インプラントガイド内に形成された前記少なくとも一つの内腔を位置するように前記指標部材の上にそれとかみ合った係合で設置するために適応された指標凹所を内部に形成している請求項２０に記載のインプラント位置決めテンプレート。
【請求項２６】
前記テンプレートが、前記第一ガイド部分に接続されかつ前記第二ガイド部分に一般に平行である第三ガイド部分をさらに含み、前記第二及び第三ガイド部分が、前記第一ガイド部分の前記少なくとも一つの内腔のその上で心合わせを助けるように歯科用インプラントの部位で顎骨のまわりに着座するように適応されている請求項２０に記載のインプラント位置決めテンプレート。
【手続補正書】
【提出日】平成19年6月5日(2007.6.5)
【手続補正１】
【補正対象書類名】明細書
【補正対象項目名】００３５
【補正方法】変更
【補正の内容】
【００３５】
図１Ａは、本発明の好ましい実施態様に従って構成された多皮質インプラントアンカーの概略図である。
図１Ｂは、歯科用インプラントの概略図である。
図１Ｃは、本発明の好ましい実施態様による対象の顎骨内の位置の多皮質固定自動ロック式インプラントの概略図である。
図２Ａは、ねじ山形成時のアンカーの概略的平面図である。
図２Ｂは、ねじ山形成後の図１Ａのアンカーの概略図である。
図３Ａは、本発明の別の実施態様による方形のウエスト部分を有する、図１に示されるような多皮質インプラントアンカーとともに使用するためのインプラントの概略的部分側面図である。
図３Ｂは、線Ｂ−Ｂに沿ってとった図３Ａのインプラント横断面図である。
図３Ｃ及び３Ｄは、図３Ａ及び３Ｂと同様の図であるが、その組立後の多皮質インプラントアンカーを示す。
図４は、本発明のさらなる実施態様に従って構成された多皮質インプラントアンカーの概略図である。
図５Ａ及び５Ｂは、本発明の追加の実施態様による丸められたウエスト部分を有する、図４の多皮質インプラントアンカーとともに使用するためのインプラントの側面図及び断面図である。
図５Ｃ及び５Ｄは、組立後の図４の多皮質インプラントアンカーを伴う図５Ａ及び５Ｂのインプラントの対応図である。
図６Ａは、本発明のさらなる実施態様に従って構成された、ねじ山に係合するように形成された歯科用インプラントのための多皮質インプラントアンカーの概略図である。
図６Ｂは、インプラントとともに組立てた後の図６Ａの多皮質インプラントアンカーの概略的平面図である。
図６Ｃは、図６Ｂで見られるような組立て後のインプラント及び多皮質インプラントアンカーの概略的側面図である。
図７Ａ，７Ｂ，７Ｃ及び７Ｄは、本発明の様々な実施態様に従って構成及び作用されるインプラント位置決めテンプレートの概略図である。
【手続補正２】
【補正対象書類名】明細書
【補正対象項目名】００８８
【補正方法】変更
【補正の内容】
【００８８】
【図１】図１Ａは、本発明の好ましい実施態様に従って構成された多皮質インプラントアンカーの概略図である。図１Ｂは、歯科用インプラントの概略図である。図１Ｃは、本発明の好ましい実施態様による対象の顎骨内の位置の多皮質固定自動ロック式インプラントの概略図である。
【図２】図２Ａは、ねじ山形成時のアンカーの概略的平面図である。図２Ｂは、ねじ山形成後の図１Ａのアンカーの概略図である。
【図３】図３Ａは、本発明の別の実施態様による方形のウエスト部分を有する、図１に示されるような多皮質インプラントアンカーとともに使用するためのインプラントの概略的部分側面図である。図３Ｂは、線Ｂ−Ｂに沿ってとった図３Ａのインプラント横断面図である。図３Ｃ及び３Ｄは、図３Ａ及び３Ｂと同様の図であるが、その組立後の多皮質インプラントアンカーを示す。
【図４】本発明のさらなる実施態様に従って構成された多皮質インプラントアンカーの概略図である。
【図５】図５Ａ及び５Ｂは、本発明の追加の実施態様による丸められたウエスト部分を有する、図４の多皮質インプラントアンカーとともに使用するためのインプラントの側面図及び断面図である。図５Ｃ及び５Ｄは、組立後の図４の多皮質インプラントアンカーを伴う図５Ａ及び５Ｂのインプラントの対応図である。
【図６】図６Ａは、本発明のさらなる実施態様に従って構成された、ねじ山に係合するように形成された歯科用インプラントのための多皮質インプラントアンカーの概略図である。図６Ｂは、インプラントとともに組立てた後の図６Ａの多皮質インプラントアンカーの概略的平面図である。図６Ｃは、図６Ｂで見られるような組立て後のインプラント及び多皮質インプラントアンカーの概略的側面図である。
【図７Ａ−Ｂ】本発明の様々な実施態様に従って構成及び作用されるインプラント位置決めテンプレートの概略図である。
【図７Ｃ−Ｄ】本発明の様々な実施態様に従って構成及び作用されるインプラント位置決めテンプレートの概略図である。
【国際調査報告】
2008515478.tif 000010